(57)【要約】【課題】トランジスタのピン配置が変更しても接続変換を行うことで、電力変換部の配置構成を変更することなく、異なるピン配置のトランジスタを接続できる回路装置を提供すること。【解決手段】少なくとも駆動信号生成部１と、前記駆動信号生成部１により駆動される少なくとも１つ以上の電圧制御トランジスタ２からなる電力変換部３とを備え、前記駆動信号生成部１と前記電力変換部３との接続間に端子間接続の変換を行う接続変換手段４を設けたことを特徴とする回路装置５で、使用するトランジスタ２の製造元や容量等の変更に伴いピン配置が変更となった場合においても、電力変換部３の配置構成を変更することなく接続使用することができる。このように使用するトランジスタ２によらず電力変換部３を共用することができる。【選択図】図１
2006237119.tif 000002
【特許請求の範囲】
【請求項１】
少なくとも駆動信号生成部と、前記駆動信号生成部により駆動される少なくとも１つ以上の電圧制御トランジスタからなる電力変換部とを備え、前記駆動信号生成部と前記電力変換部との接続間に端子間接続の変換を行う接続変換手段を設けたことを特徴とする回路装置。
【請求項２】
電圧制御トランジスタを、少なくとも電力変換素子と前記電力変換素子を駆動する駆動回路と前記電力変換素子の保護手段とを具備する回路モジュールとしたことを特徴とする請求項１記載の回路装置。
【請求項３】
請求項１または２記載の回路装置を具備したことを特徴とする空気調和機。
【発明の詳細な説明】
【技術分野】
【０００１】
本発明は、電圧制御トランジスタもしくは複数の電圧制御トランジスタから構成されるトランジスタモジュールにおいて、接続端子の異なる配置であっても同一の駆動信号生成手段において接続可能にすることを目的にした回路装置の構成に関するものである。
【背景技術】
【０００２】
従来、この種の電圧制御トランジスタを有する回路装置では、該トランジスタのピン配置が変更すると、ひとつ以上の電圧制御トランジスタと、駆動信号生成部から構成される電力変換部の配置構成を変更させる必要がある。
【０００３】
このような構成の回路装置においては、一般的にトランジスタの製造元や容量等が異なるとピン配置が変更するため、電力変換部の配置構成をトランジスタのピン配置に合せて変更させることとなる（例えば、特許文献１参照）。
【特許文献１】特開２００４−６３６８８号公報
【発明の開示】
【発明が解決しようとする課題】
【０００４】
しかしながら、前記従来の構成ではトランジスタのピン配置が変更する度に電力変換部の配置構成も合せて変更する必要があるという課題を有していた。
【０００５】
本発明は、前記従来の課題を解決するもので、トランジスタのピン配置が変更しても接続変換を行うことで、電力変換部の配置構成を変更することなく、異なるピン配置のトランジスタを接続できる回路装置を提供することを目的とする。
【課題を解決するための手段】
【０００６】
前記従来の課題を解決するために、本発明の回路装置は、少なくとも駆動信号生成部と、前記駆動信号生成部により駆動される少なくとも１つ以上の電圧制御トランジスタからなる電力変換部とを備え、前記駆動信号生成部と前記電力変換部との接続間に端子間接続の変換を行う接続変換手段を設けたことを特徴とするもので、使用するトランジスタの製造元や容量等の変更に伴いピン配置が変更となった場合においても、電力変換部の配置構成を変更することなく接続使用することができる。このように使用するトランジスタによらず電力変換部を共用することができる。
【発明の効果】
【０００７】
本発明によれば、トランジスタのピン配置が変更しても接続変換を行うことで、電力変換部の配置構成を変更することなく、異なるピン配置のトランジスタを接続できる回路装置を提供できる。
【発明を実施するための最良の形態】
【０００８】
第1の発明の発明は、少なくとも駆動信号生成部と、前記駆動信号生成部により駆動される少なくとも１つ以上の電圧制御トランジスタからなる電力変換部とを備え、前記駆動信号生成部と前記電力変換部との接続間に端子間接続の変換を行う接続変換手段を設けたことを特徴とする回路装置で、使用するトランジスタの製造元や容量等の変更に伴いピン配置が変更となった場合においても、電力変換部の配置構成を変更することなく接続使用することができ、使用するトランジスタによらず電力変換部を共用することができる。つまり、製造元や容量等の変更に伴いピン配置が変更したトランジスタでも接続使用することができる。
【０００９】
第２の発明は、第１の発明の回路装置において、電圧制御トランジスタを、少なくとも電力変換素子と前記電力変換素子を駆動する駆動回路と前記電力変換素子の保護手段とを具備する回路モジュールとしたことを特徴とするもので、安全で信頼性が高く、小型・軽量の回路装置を提供することができる。
【００１０】
第３の発明は、第１または第２の発明の回路装置を空気調和機に具備することにより、前記空気調和機の能力や価格に合せてピン配置の異なる様々な種類のトランジスタを使用した場合でも、トランジスタのピン配置毎に電力変換部の配置構成を変更することなく統一することができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における回路装置の構成図を示したものである。
【００１３】
図１において回路装置は、マイコン等で構成される駆動信号生成部１と、該駆動信号制生成部１により駆動される少なくとも１つ以上のＩＧＢＴ、ＦＥＴ等の電圧制御トランジスタ２、あるいは図３に示されるように電力変換素子６と、前記電力変換素子６を駆動させる駆動回路７と、前記電力変換素子６の保護回路から構成される回路モジュール９と、これらで構成される電力変換部３を有し、前記トランジスタ２は前記電力変換部３と変換コネクタやソケット等の接続変換手段４を介して電力変換部３に接続される。
【００１４】
以上のように構成された回路装置について、以下にその作用を説明する。
【００１５】
ここでまず、従来の回路装置の作用について説明する。図４、図５は従来の回路装置の構成を示し、図６、図７は前記特許文献１を示す従来の回路装置で、ピン配置の異なるトランジスタを接続した場合の構成を示す。
【００１６】
従来の回路装置では図４、図５に示すように、使用するトランジスタ２は、該トランジスタ２のピン配置に合せて差込口や接続箇所を配置した電力変換部３に接続され、駆動信号生成部１等は該トランジスタの配置を配慮した任意の配置パターン（配置Ａ）にて配置される。ここで、使用するトランジスタ２の製造元や容量等の変更に伴いピン配置が変更した場合、例えばピン番号５、６、７、８が８、７、６、５の順に変更した場合、図６、図７に示すように電力変換部３の配置パターンを変更（配置Ａ→配置Ｂ）してトランジスタ２のピン配置変更に対応する必要がある。しかしながら一般的に、電力変換部３には駆動信号生成部１をはじめ、様々な部品が複雑に配置されていることが多く、この配置パターンの変更は容易でない。
【００１７】
特に空気調和機等に備えられる回路装置では、空気調和機の価格、性能により多種多様なトランジスタが使用され、更に電力変換部にはその他多数の部品が複雑に配置されるため、配置パターンの変更は容易でない。
【００１８】
ここで、図１、図２に示すように、駆動信号生成部１と電力変換部３の接続間に接続変換手段４を設けることにより、電力変換部３の配置パターンを変更することなく（配置Ａ）ピン配置の異なるトランジスタ２を電力変換部３に接続することができる。
【００１９】
更に、トランジスタ２として、使用するトランジスタ２特性に合せて制御系の設計変更する必要がある電流制御型ではなく、ＩＧＢＴやＦＥＴ等の電圧制御型のトランジスタを
用いることでドライブするための駆動信号生成部１の設計・構成を統一することができるため、電力変換部３の構成を変更することなく、接続変換手段４の挿入のみで様々なトランジスタ２の接続に対応することができる。
【００２０】
以上のように本実施の形態においては少なくとも駆動信号生成部１と、該駆動信号生成部１により駆動される電圧制御トランジスタ２と、それらを所定の箇所に配置構成された電力変換部３を有する回路装置５において、前記駆動信号生成部１と電力変換部３の接続間に端子間接続の変換を行い、接続間に電気的接続および機械的固定を行う接続変換手段４を備えることにより、使用するトランジスタ２のピン配置が変更した場合でも、電力変換部の配置パターンを変更することなく接続・使用することができる。
【産業上の利用可能性】
【００２１】
以上のように、本発明にかかる回路装置は、トランジスタのピン配置によらず電力変換部の配置パターンを統一することができるため、種類の異なるトランジスタを使用する可能性のある家電機器等あらゆる回路装置へ適用できる。
【図面の簡単な説明】
【００２２】
【図１】本発明の実施の形態１における回路装置の斜視図
【図２】同回路装置の構成図
【図３】同電圧制御トランジスタの構成図
【図４】従来の回路装置の斜視図
【図５】同回路装置の構成図
【図６】従来の他の回路装置の斜視図
【図７】同構成図
【符号の説明】
【００２３】
１  駆動信号生成部
２  電圧制御トランジスタ
３  電力変換部
４  接続変換手段
５  回路装置
６  電力変換素子
７  駆動回路
８  保護回路
９  回路モジュール
【図１】
2006237119.tif 000003
【図２】
2006237119.tif 000004
【図３】
2006237119.tif 000005
【図４】
2006237119.tif 000006
【図５】
2006237119.tif 000007
【図６】
2006237119.tif 000008
【図７】
2006237119.tif 000009